(57)【要約】【課題】搬送時に安定的に吊り上げできるとともに、上階躯体と強固に連結できる袖壁付き壁ユニットと、その吊り上げ方法、袖壁付き壁ユニットを利用した建物の建築方法を提供することを目的とする。【解決手段】板状部４と、この板状部４の上端部に一体形成されるとともにボルト材２０，３０を螺合可能とするナット部５とを有する羽子板金具３，３…を、各袖壁２，２の両側端面にそれぞれ止着固定してなる袖壁付き壁ユニット１。また、この袖壁付き壁ユニット１を所定の設置位置まで吊り上げ搬送する吊り上げ方法。また、この袖壁付き壁ユニット１の上部に上階躯体５０を設置して建物躯体を構築する建物の建築方法。これにより、例えば、ナット部に螺合するボルト部分を有する吊り金具を取り付けたり、ナット部に螺合する胴差ボルトを取り付けたりすることができる。【選択図】図１
2010248815.tif 000002
【特許請求の範囲】
【請求項１】
互いに対向するとともに所定間隔離間して設けられる袖壁と、
これら各袖壁の両側端面にそれぞれ止着固定される羽子板金具と、
各袖壁の両側端面のうちの少なくとも一方の側端面に、該袖壁の高さ方向に沿ってそれぞれ取り付けられるコーナー結合材と、
これらコーナー結合材間に架設される壁またはマグサ等の水平材とを備えており、
前記羽子板金具は、前記袖壁の側端面の長さ方向に沿って長尺な板状部と、
この板状部の上端部に一体形成されるとともに螺合孔が上方に向かって開口し、前記袖壁およびコーナー結合材の上端面よりも上方に突出するようにして設けられるボルト材を螺合可能とするナット部とを有することを特徴とする袖壁付き壁ユニット。
【請求項２】
請求項１に記載の袖壁付き壁ユニットにおいて、
前記ナット部が高ナットであることを特徴とする袖壁付き壁ユニット。
【請求項３】
請求項１または２に記載の袖壁付壁ユニットにおいて、
前記袖壁の側端面には、この袖壁の側端面と前記板状部の表面とが面一となるようにして該板状部が嵌め合わされるとともに、前記ナット部の一部が袖壁の側端面よりも突出するようにして該ナット部が嵌め合わされる嵌合凹部が形成されていることを特徴とする袖壁付壁ユニット。
【請求項４】
請求項１〜３のいずれか一項に記載の袖壁付壁ユニットを、クレーン装置等の吊り上げ手段によって所定の設置位置まで吊り上げ搬送する袖壁付き壁ユニットの吊り上げ方法であって、
前記クレーン装置等の吊り上げ手段と、複数のワイヤーを有する吊り上げ装置とを接続しておくとともに、前記羽子板金具のナット部に、このナット部に螺合する本体ボルトと、この本体ボルトの上端部に設けられるとともに前記複数のワイヤーが接続される接続部とを有する吊り金具を設けておき、
前記複数のワイヤーと吊り金具とを接続した後、前記吊り上げ手段によって、前記吊り上げ装置および袖壁付壁ユニットを吊り上げてから、所定の設置位置まで搬送することを特徴とする袖壁付壁ユニットの吊り上げ方法。
【請求項５】
所定の設置位置に設置された請求項１〜３のいずれか一項に記載の袖壁付壁ユニットの上部に上階躯体を設置して建物躯体を構築する建物の建築方法であって、
前記袖壁付壁ユニットの袖壁の上端面に載置される上階床の側端面と、この上階床の側端面に接合されるとともに前記袖壁付壁ユニットの袖壁の上端面に載置される胴差の側端面とに沿って、前記上階床の厚さ方向に延在するとともに前記ナット部の位置に対応するガイド溝を形成しておき、
前記上階床の側端部および胴差を、前記ガイド溝とナット部の螺合孔との位置を合わせるようにしながら前記袖壁の上端面に載置して接合し、
前記上階床の厚さよりも長尺な胴差ボルトを、前記ガイド溝に沿わせながら、前記上階床の上方から前記袖壁に向かってねじ込み、この胴差ボルトの下端部を前記ナット部の螺合孔に螺合させることによって、前記上階床の側端部および胴差を前記袖壁に固定し、
その後、前記胴差ボルトの上端部が挿通可能なボルト挿通孔が形成された横芯材と、このボルト挿通孔に挿通されて横芯材の上面から上方に突出する前記胴差ボルトの上端部にナットを螺合させて締結可能なスペースを形成する中空部とを有する上階壁を、前記横芯材５４ａのボルト挿通孔５４ｂに前記胴差ボルト３０の上端部を挿通させながら、前記上階床の側端部および胴差の上面に載置するとともに、前記胴差ボルトの上端部にナットを螺合させて締結することによって、前記上階壁を前記上階床の側端部および胴差に固定することを特徴とする建物の建築方法。
【発明の詳細な説明】
【技術分野】
【０００１】
本発明は、袖壁付き壁ユニット、袖壁付き壁ユニットの吊り上げ方法および建物の建築方法に関する。
【背景技術】
【０００２】
住宅の工業化に伴って、住宅の屋根や壁等を予めパネルとして工場で製造し、このようなパネルを建築現場において組み立てていくことにより、住宅の施工を行うようにしたパネル工法が近年盛んとなっている。そして、工業化をさらに進めるために、例えば、特許文献１に記載のように、複数のパネルを、予めある程度工場で連結して、連結パネルとし、このような連結パネルを建築現場で組み立てて、現場での工期を一層短縮するようにした技術が活発に行われている。
また、このような連結パネルは、特許文献２に記載のように、吊り治具が連結パネルの上端部の２ヶ所に装着されるとともに、吊り治具と接続された吊り上げ手段によって２点吊りされることによって搬送できるようになっている。
一方、パネル工法では、特許文献３に記載のように、下階壁パネル上に上階床パネルおよび胴差を載置し、その上に上階壁パネルを組み上げて、上階床パネルおよび胴差の接合部を貫通する胴差ボルトによって、下階壁パネルと上階壁パネルとを強固に連結して建物躯体の強度を高める技術が行われている。
【先行技術文献】
【特許文献】
【０００３】
【特許文献１】特開平０７−１８９３６７号公報
【特許文献２】特開平０９−２０９５７３号公報
【特許文献３】特開平１０−０５４４１３号公報
【発明の概要】
【発明が解決しようとする課題】
【０００４】
ところで、特許文献１に記載のような連結パネルは幅方向に広くなるように形成された平面的なものである。近年、このような平面的な連結パネルとは異なり、例えば、両端部に、前方に向かって突出するような袖壁を備える立体的な連結パネル（袖壁付き壁ユニット）を用いて住宅の施工を行いたいという要望がある。
【０００５】
ところが、このような袖壁付き壁ユニットの重心位置は、平面的な連結パネルの重心位置とは異なるため、特許文献２のような２点吊りではなく、より安定的な４点吊りの吊り上げ方法を採用できるような技術の開発が望まれている。
また、このような袖壁付き壁ユニットでも、特許文献３に記載のように胴差ボルトを用いて、上部に上階躯体を設置し、上下階の壁と上階の床とを強固に連結した建物躯体を構築できるような技術の開発が併せて望まれている。
【０００６】
本発明の課題は、搬送時に安定的に吊り上げできるとともに、上階躯体と強固に連結できる袖壁付き壁ユニットと、その吊り上げ方法、袖壁付き壁ユニットを利用した建物の建築方法を提供することを目的とする。
【課題を解決するための手段】
【０００７】
請求項１に記載の発明は、袖壁付き壁ユニット１であって、例えば図１〜図１１に示すように、互いに対向するとともに所定間隔離間して設けられる袖壁２，２と、
これら各袖壁２，２の両側端面にそれぞれ止着固定される羽子板金具３，３…と、
各袖壁２，２の両側端面のうちの少なくとも一方の側端面に、該袖壁２，２の高さ方向に沿ってそれぞれ取り付けられるコーナー結合材６，６…と、
これらコーナー結合材６，６…間に架設される壁またはマグサ等の水平材７，８とを備えており、
前記羽子板金具３，３…は、前記袖壁２，２の側端面の長さ方向に沿って長尺な板状部４と、
この板状部４の上端部に一体形成されるとともに螺合孔５ａが上方に向かって開口し、前記袖壁２，２およびコーナー結合材６，６…の上端面よりも上方に突出するようにして設けられるボルト材２０，３０を螺合可能とするナット部５とを有することを特徴とする。
【０００８】
請求項１に記載の発明によれば、前記羽子板金具３，３…が各袖壁２，２の両側端面にそれぞれ止着固定されており、この羽子板金具３，３…は、前記袖壁２，２の側端面の長さ方向に沿って長尺な板状部４と、この板状部４の上端部に一体形成されるとともに螺合孔５ａが上方に向かって開口し、前記袖壁２，２およびコーナー結合材６，６…の上端面よりも上方に突出するようにして設けられるボルト材２０，３０を螺合可能とするナット部５とを有しているので、このナット部５に、前記ボルト材２０，３０を、前記袖壁２，２およびコーナー結合材６，６…の上端面よりも上方に突出するようにして固定することができる。これによって、例えば、前記ナット部５に螺合するボルト部分を有する吊り金具（例えば吊り金具２０）を取り付けたり、前記ナット部５に螺合する胴差ボルト（例えば胴差ボルト３０）を取り付けたりすることができる。すなわち、このように前記ナット部５に螺合するボルト部分を有する吊り金具を取り付けできるので、袖壁付き壁ユニット１を４点吊りして安定的に吊り上げて搬送することができる。また、前記ナット部５に螺合する胴差ボルトを取り付けできるので、袖壁付き壁ユニット１の上部に上部躯体を確実かつ強固に設置できる。
【０００９】
請求項２に記載の発明は、例えば図６，図９，図１１に示すように、請求項１に記載の袖壁付き壁ユニット１において、前記ナット部５が高ナットであることを特徴とする。
【００１０】
請求項２に記載の発明によれば、前記ナット部５が高ナットであることから、この高ナットであるナット部５に、例えば該ナット部５の螺合孔５ａに螺合するボルト部分を有するボルト材（例えば胴差ボルト３０）を深くねじ込むことができるので、このボルト材３０の前記ナット部５に対する取付強度を高めることができる。
これによって、所定の設置位置に設置された袖壁付壁ユニット１の上部に上階躯体５０を設置して建物躯体を構築する場合に、例えば、前記ボルト材３０を、下階躯体と上階躯体５０とを連結するために用いることができる。
【００１１】
請求項３に記載の発明は、例えば図５および図６に示すように、請求項１または２に記載の袖壁付壁ユニット１において、
前記袖壁２，２の側端面には、この袖壁２，２の側端面と前記板状部４の表面とが面一となるようにして該板状部４が嵌め合わされるとともに、前記ナット部５の一部が袖壁２，２の側端面よりも突出するようにして該ナット部５が嵌め合わされる嵌合凹部２ａが形成されていることを特徴とする。
【００１２】
請求項３に記載の発明によれば、前記袖壁２，２の側端面には、この袖壁２，２の側端面と前記板状部４の表面とが面一となるようにして該板状部４が嵌め合わされるとともに、前記ナット部５の一部が袖壁２，２の側端面よりも突出するようにして該ナット部５が嵌め合わされる嵌合凹部２ａが形成されているので、前記羽子板金具３，３…を、前記嵌合凹部２ａに収容しながら、前記各袖壁２，２の両側端面に取り付けることができる。
【００１３】
請求項４に記載の発明は、例えば図１〜図１０に示すように、請求項１〜３のいずれか一項に記載の袖壁付壁ユニット１を、クレーン装置等の吊り上げ手段によって所定の設置位置まで吊り上げ搬送する袖壁付き壁ユニット１の吊り上げ方法であって、
前記クレーン装置等の吊り上げ手段と、複数のワイヤー４１を有する吊り上げ装置４０とを接続しておくとともに、前記羽子板金具３，３…のナット部５に、このナット部５に螺合する本体ボルト２１と、この本体ボルト２１の上端部に設けられるとともに前記複数のワイヤー４１が接続される接続部２２とを有する吊り金具２０を設けておき、
前記複数のワイヤー４１と吊り金具２０とを接続した後、前記吊り上げ手段によって、前記吊り上げ装置４０および袖壁付壁ユニット１を吊り上げてから、所定の設置位置まで搬送することを特徴とする。
【００１４】
請求項４に記載の発明によれば、前記羽子板金具３，３…のナット部５に前記本体ボルト２１を有する吊り金具２０を設けるので、前記本体ボルト２１を前記螺合孔５ａに螺合させることによって、前記吊り金具２０を、前記各袖壁２，２の両側端面にそれぞれ止着固定された羽子板金具３，３…に確実かつ強固に取り付けることができる。すなわち、前記吊り金具２０を前記各袖壁２，２の両側端部の計４ヶ所に取り付けることができる。これによって、前記袖壁付き壁ユニット１を、前記複数のワイヤー４１と吊り金具２０とを接続した後、前記吊り上げ手段によって、前記吊り上げ装置４０および袖壁付壁ユニット１を吊り上げてから、所定の設置位置まで安定的に搬送することができる。
また、例えば、このように前記袖壁付き壁ユニット１を、所定の設置位置まで安定的に搬送した後、前記ナット部５に螺合させた吊り金具２０を取り外してから、前記ナット部５に、前記袖壁付き壁ユニット１の上部に上部躯体を設置するための胴差ボルト３０を取り付けて、該袖壁付き壁ユニット１の上部に上階躯体を設置することによって、前記羽子板金具３，３…を、前記吊り金具２０を取り付けるだけの用途に限らずに、建物躯体を構築するのに利用することもできるので、利便性が高い。
【００１５】
請求項５に記載の発明は、例えば図１〜図９，図１１に示すように、所定の設置位置に設置された請求項１〜３のいずれか一項に記載の袖壁付壁ユニット１の上部に上階躯体５０を設置して建物躯体を構築する建物の建築方法であって、
前記袖壁付壁ユニット１の袖壁２の上端面に載置される上階床５１の側端面と、この上階床５１の側端面に接合されるとともに前記袖壁付壁ユニット１の袖壁２の上端面に載置される胴差５２の側端面とに沿って、前記上階床５１の厚さ方向に延在するとともに前記ナット部５の位置に対応するガイド溝５３を形成しておき、
前記上階床５１の側端部および胴差５２を、前記ガイド溝５３とナット部５の螺合孔５ａとの位置を合わせるようにしながら前記袖壁２の上端面に載置して接合し、
前記上階床５１の厚さよりも長尺な胴差ボルト３０を、前記ガイド溝５３に沿わせながら、前記上階床５１の上方から前記袖壁２に向かってねじ込み、この胴差ボルト３０の下端部を前記ナット部５の螺合孔５ａに螺合させることによって、前記上階床５１の側端部および胴差５２を前記袖壁２に固定し、
その後、前記胴差ボルト３０の上端部が挿通可能なボルト挿通孔５４ｂが形成された横芯材５４ａと、このボルト挿通孔５４ｂに挿通されて横芯材５４ａの上面から上方に突出する前記胴差ボルト３０の上端部にナット３２を螺合させて締結可能なスペースを形成する中空部５４ｄとを有する上階壁５４を、前記横芯材５４ａのボルト挿通孔５４ｂに前記胴差ボルト３０の上端部を挿通させながら、前記上階床５１の側端部および胴差５２の上面に載置するとともに、前記胴差ボルト３０の上端部にナット３２を螺合させて締結することによって、前記上階壁５４を前記上階床５１の側端部および胴差５２に固定することを特徴とする。
【００１６】
請求項５に記載の発明によれば、前記上階床５１の側端面と前記胴差５２の側端面とにガイド溝５３を形成しておき、このガイド溝５３と前記ナット部５の螺合孔５ａとの位置を合わせるようにしながら、前記上階床５１の側端部および胴差５２を前記袖壁２の上端面に載置して接合し、前記胴差ボルト３０を、前記ガイド溝５３に沿わせながら、前記上階床５１の上方から前記袖壁２に向かってねじ込み、この胴差ボルト３０の下端部を前記ナット部５の螺合孔５ａに螺合させることによって、前記上階床５１の側端部および胴差５２を前記袖壁２に固定するので、前記上階床５１および胴差５２を、前記袖壁２の上部に正確に設置することができる。
その後、前記横芯材５４ａと中空部５４ｄとを有する上階壁５４を、前記横芯材５４ａのボルト挿通孔５４ｂに前記胴差ボルト３０の上端部を挿通させながら、前記上階床５１の側端部および胴差５２の上面に載置するとともに、前記胴差ボルト３０の上端部にナット３２を螺合させて締結することによって、前記上階壁５４を前記上階床５１の側端部および胴差５２に固定するので、前記袖壁付き壁ユニット１の上部に上部躯体５０を確実かつ強固に設置できる。
また、例えば、このように前記袖壁付き壁ユニット１の上部に上部躯体５０を設置する前に、前記袖壁付き壁ユニット１を所定の設置位置まで搬送する際は、前記ナット部５に前記胴差ボルト３０を取り付ける前に、クレーン装置等の吊り上げ手段によって吊り上げるための吊り金具２０を取り付けておき、これを搬送時に利用することができるので、前記羽子板金具３，３…を、前記胴差ボルト３０を取り付けるだけの用途に限らず、袖壁付き壁ユニット１の搬送時にも利用することができ、利便性が高い。
【発明の効果】
【００１７】
本発明によれば、羽子板金具が各袖壁の両側端面にそれぞれ止着固定されており、この羽子板金具は、袖壁の側端面の長さ方向に沿って長尺な板状部と、この板状部の上端部に一体形成されるとともに螺合孔が上方に向かって開口し、前記袖壁およびコーナー結合材の上端面よりも上方に突出するようにして設けられるボルト材を螺合可能とするナット部とを有しているので、このナット部に、ボルト材を、袖壁およびコーナー結合材の上端面よりも上方に突出するようにして固定することができる。これによって、例えば、ナット部に螺合するボルト部分を有する吊り金具を取り付けたり、ナット部に螺合する胴差ボルトを取り付けたりすることができる。すなわち、このようにナット部に螺合するボルト部分を有する吊り金具を取り付けできるので、袖壁付き壁ユニットを４点吊りして安定的に吊り上げて搬送することができる。また、ナット部に螺合する胴差ボルトを取り付けできるので、袖壁付き壁ユニットの上部に上部躯体を確実かつ強固に設置できる。
【図面の簡単な説明】
【００１８】
【図１】本発明の袖壁付き壁ユニットを示す概略図である。
【図２】本発明の袖壁付き壁ユニットを示す平面図である。
【図３】本発明の袖壁付き壁ユニットの一部を示す拡大平面図である。
【図４】本発明の袖壁付き壁ユニットの上端部を示す斜視図である。
【図５】本発明の袖壁付き壁ユニットの一部の一例を示す拡大側断面図である。
【図６】本発明の袖壁付き壁ユニットの一部の一例を示す拡大側断面図である。
【図７】羽子板金具の一例を示す斜視図である。
【図８】羽子板金具の一例を示す斜視図である。
【図９】羽子板金具の一例を示す斜視図である。
【図１０】本発明の袖壁付き壁ユニットの吊り上げ態様の一例を示す斜視図である。
【図１１】本発明の袖壁付き壁ユニットの上部に上階躯体を設置して建物躯体を構築する態様の一例を示す側断面図である。
【発明を実施するための形態】
【００１９】
以下、図面を参照して本発明の実施の形態について説明する。
なお、本実施の形態においては、壁や床、屋根といった建物の構成要素を予め工場にてパネル化しておき、施工現場でこれらの建築用パネルを組み立てて構築するパネル工法を採用するが、従来の軸組工法や壁式工法の木造、鉄骨造、鉄筋コンクリート造等の工法も適用できるものとする。
【００２０】
また、この建築用パネルとは、縦横の框材（芯材）が矩形状に組み立てられるとともに、矩形枠の内部に補助桟材が縦横に組み付けられて枠体が構成され、この枠体の両面もしくは片面に、面材が貼設されたものであり、内部中空な構造となっている。さらに、その内部中空な部分には、通常、グラスウールやロックウール等の断熱材が装填されるものである。
【００２１】
図１は本発明に係る袖壁付き壁ユニットの一例を示す概略図であり、図２は、図１に示す袖壁付き壁ユニットの平面図であり、図３は、図２に示す袖壁付き壁ユニットの一部を示す拡大平面図であり、図４は、袖壁付き壁ユニットの上端部を示す斜視図である。
図１〜図４において符号１は、袖壁付き壁ユニットを示す。この袖壁付き壁ユニット１は、互いに対向するとともに所定間隔離間して設けられる袖壁２，２と、これら各袖壁２，２の両側端面にそれぞれ止着固定される羽子板金具３Ｂ，３Ｂ…と、各袖壁２，２の両側端面に、該袖壁２，２の高さ方向に沿ってそれぞれ取り付けられるコーナー結合材６，６…と、これらコーナー結合材６，６…間に架設される水平材７（垂壁）および水平材８（マグサ）とを備えている。
なお、図１は、袖壁付き壁ユニット１の垂れ壁７を含む部分の正面図と、この正面図の両脇に描かれている、袖壁付き壁ユニット１の両袖壁２，２の内側面を示す図と、左側の袖壁２の左側に描かれている、該左側の袖壁２の外側面を示す図とで構成されているものとする。
【００２２】
前記袖壁２は、前記袖壁付き壁ユニット１の両端部に位置するとともに、互いに対向するものであり、前記袖壁付き壁ユニット１が建物躯体に組み込まれた際に、他の壁よりも前方に突出する壁となる。ここで言う他の壁とは、前記袖壁２，２間に設けられる壁のことであり、本実施の形態においては前記垂壁７と、この垂壁７の下方に形成される開口部７ａとを含む一面を指している。
この開口部７ａは、前記垂壁７と前記袖壁２，２の一方の側端部とで囲まれた部分を指している。
なお、本実施の形態の袖壁２は上記のような建築用パネルで形成されたものである。
【００２３】
前記羽子板金具３Ｂ，３Ｂ…は、図３，図４，図６，図９に示すように、前記袖壁２，２の側端面の長さ方向に沿って長尺な板状部４と、この板状部４の上端部に一体形成されるとともに螺合孔５ａが上方に向かって開口し、前記袖壁２，２およびコーナー結合材６，６…の上端面よりも上方に突出するようにして設けられるボルト材２０，３０を螺合可能とするナット部５とを有している。
これら羽子板金具３Ｂ，３Ｂ…は、前記袖壁２，２の両側端面の上端部に止着固定されている。
【００２４】
前記板状部４は、図９に示すように略矩形状に形成されており、厚さ方向に沿って貫通するとともに、この板状部４を前記袖壁２，２の側端面に止着固定する止着材を挿通させるための孔部４ａが複数形成されている。
また、前記ナット部５は、上述のように螺合孔５ａが上方に向かって開口するような場所に位置している。すなわち、前記羽子板金具３Ｂが、前記ナット部５の上面が前記袖壁２およびコーナー結合材６の上端面と略面一となるようにして、前記袖壁２，２の両側端面にそれぞれ止着固定されている。
【００２５】
なお、本実施の形態のナット部５は高ナットである。これによって、この高ナットであるナット部５に、前記ボルト材３０を深くねじ込むことができるので、このボルト材３０の前記ナット部５に対する取付強度を高めることができるようになっている。
また、本実施の形態のナット部５を高ナットとしたのは、後述するように、前記袖壁付き壁ユニット１の上部に上階躯体を構築するためである。
【００２６】
なお、本実施の形態においては、前記袖壁付き壁ユニット１の上部に上階躯体を構築するため、羽子板金具として、ナット部５を高ナットとした羽子板金具３Ｂを用いるとしたが、これに限るものではない。
すなわち、前記袖壁付き壁ユニット１の上部に上階躯体を構築しないのであれば、図７に示すように、略矩形状の板状部４と、高ナットではないナット部５とを有する羽子板金具３を用いてもよい。
また、図８に示すように、前記ボルト材３０を深くねじ込むことができるように、前記板状部４に、前記ナット部５の下部から下方に向かってスリット４ｂを形成した羽子板金具３Ａを用いてもよいものとする。このようにスリット４ｂを形成することによって、スリット４ｂが形成されていないものに比して、長さの長いボルト材を深くねじ込むことができるようになっている。
【００２７】
また、前記袖壁２，２の側端面には、図６に示すように、この袖壁２，２の側端面と前記板状部４の表面とが面一となるようにして該板状部４が嵌め合わされるとともに、前記ナット部５の一部が袖壁２，２の側端面よりも突出するようにして該ナット部５が嵌め合わされる嵌合凹部２ａが形成されている。
すなわち、この嵌合凹部２ａは、前記板状部４が嵌め合わされる略矩形状の凹部と、前記ナット部５の一部が嵌め合わされる半ナット状の凹部とからなる。
なお、以下、この嵌合凹部２ａを、便宜上、第１嵌合凹部２ａと称する。
【００２８】
前記コーナー結合材６は、上述のように水平材７，８が架設されるものであり、本実施の形態においては前記袖壁２，２の両側端面に、該袖壁２，２の高さ方向に沿ってそれぞれ取り付けられている。すなわち、前記羽子板金具３Ｂ，３Ｂ…と同じく、袖壁付き壁ユニット１の上端部のコーナー部分４ヶ所に取り付けられていることとなる。
【００２９】
袖壁付き壁ユニット１の4つ角のうち、３ヶ所のコーナー結合材６，６，６は、図１〜図４に示すように、平面視矩形状の半割り材６ａ，６ｂを接合してなる平面視正方形状の木材である。
また、このコーナー結合材６を構成する半割り材６ａ，６ｂのうち、前記水平材７，８の架設方向の外側に位置する半割り材６ａの高さは、内側に位置する半割り材６ｂの高さに比して高く形成されており、前記袖壁２，２の高さと略等しくなっている。
一方、前記内側に位置する半割り材６ｂは、この半割り材６ｂの高さ寸法と前記水平材７，８の高さ寸法とを足した寸法が、前記袖壁２，２の高さと略等しくなるような高さに設定されている。そして、前記水平材７，８は、側端部が、この半割り材６ｂの上に乗せられており、側端面が前記長さの長い半割り材６ａの側面に当接するように設けられている。
なお、本実施の形態においては、前記袖壁付き壁ユニット１の4つ角のうちの３ヶ所のコーナー結合材６，６，６を半割り材６ａ，６ｂからなるものとしたが、これに限られるものではなく、１本の柱材からなるものであってもよいものとする。
【００３０】
また、袖壁付き壁ユニット１の４つ角のうち、１ヶ所のコーナー結合材６は、平面視において前記半割り材６ａ，６ｂと略等しい大きさに設定されるとともに、所定の高さに設定されている。このコーナー結合材６は、図２において右側に位置する袖壁２の側端面に取り付けられている。このコーナー結合材６の高さは、図１に示すように、例えば、前記袖壁２よりも低くなるように、また前記開口部７ａの上縁部よりも高くなるように設定されており、このコーナー結合材６の上に、前記右側の袖壁２に連続して設けられるとともに部屋側に延在する小壁１４等を乗せられるようになっている。
そして、前記水平材７は、側端面が前記右側の袖壁２の側面とコーナー結合材６の側面と小壁１４の側面とに当接するようにして設けられている。
なお、前記袖壁２，２は、図２において右側に位置する袖壁２が、左側に位置する袖壁２よりも、平面視における水平材７，８の架設方向と直交する方向の長さが長くなるように形成されている。したがって、前記右側の袖壁２と、前記袖壁付き壁ユニット１の４つ角のうちの１ヶ所のコーナー結合材６と、前記半割り材６ａ，６ｂからなるコーナー結合材６とを足した長さ（平面視における水平材７，８の架設方向と直交する方向の長さ）が、前記左側の袖壁２と、この左側の袖壁２の両側端面に取り付けられたコーナー結合材６，６とを足した長さと等しくなるように設定されている。
また、本実施の形態においては、前記袖壁付き壁ユニット１の４つ角のうちの１ヶ所のコーナー結合材６を、平面視において前記半割り材６ａ，６ｂと略等しい大きさに設定されるとともに、所定の高さに設定されたものとしたが、これに限られるものではなく、前記袖壁付き壁ユニット１の4つ角のうちの３ヶ所のコーナー結合材６，６，６と同じく、１本の柱材を用いるようにしてもよいものとし、本発明の趣旨を逸脱しない範囲で適宜変更可能である。なお、１本の柱材とした場合は、前記右側の袖壁２の大きさを適宜変更する。
【００３１】
また、図４に示すように、前記袖壁付き壁ユニット１の4つ角のうちの３ヶ所のコーナー結合材６，６，６の半割り材６ａの側端面には、前記袖壁２，２の側端面よりも突出するナット部５の一部が嵌め合わされる第２嵌合凹部６ｃが形成されている。
さらに、前記羽子板金具３Ｂ，３Ｂ…は前記袖壁２，２の両側端面の上端部に止着固定されているため、本実施の形態においては、前記羽子板金具３Ｂ，３Ｂ…が固定される部分には、前記コーナー結合材６，６…だけでなく、前記水平材７，８の側端部および前記小壁１４の側端部も設けられている。したがって、これら水平材７，８および小壁１４には、前記袖壁２，２の側端面よりも突出するナット部５の一部が嵌め合わされる第３嵌合凹部７ｂ，８ｂ，１４ａが形成されている。
したがって、前記第１嵌合凹部２ａの半ナット状の凹部と、第２嵌合凹部６ｃおよび第３嵌合凹部７ｂ，８ｂ，１４ａとが互いに向かい合うようにして、前記袖壁２と、前記コーナー結合材６と、前記水平材７，８と、前記小壁１４とをそれぞれ接合することによって、前記ナット部５を、前記第１嵌合凹部２ａの半ナット状の凹部と、第２嵌合凹部６ｃおよび第３嵌合凹部７ｂ，８ｂ，１４ａとで形成されるスペース内に収容できる。
【００３２】
前記水平材７は、上述のように垂壁である。なお、この垂壁とは、開口部などの上にある壁を言うものであり、水平方向に長尺に形成されている。本実施の形態においては建築用パネルで構成されている。
また、この垂壁７は、上述のように、一側端部が前記コーナー結合材６の半割り材６ｂの上に乗せられるとともに、他側端部の端面が前記右側の袖壁２の側面とコーナー結合材６の側面と小壁１４の側面とに当接するようにして設けられている。さらに、この垂壁７は、図１および図３，図４に示すように、前記開口部７ａ内に設けられる方立て１０の上にも乗せられている。この方立て１０は、前記垂壁７の両側端部と、中央部とを支持するようにして設けられている。
【００３３】
前記水平材８は、上述のようにマグサである。なお、このマグサとは、門・家屋の出入口または窓などの開口の上部に渡す水平材を言うものであり、このマグサ８の下方には、前記垂壁７の下方に形成された開口部７ａと対向する開口部８ａが形成されている。この開口部８ａは、前記マグサ８と前記袖壁２，２の他方の側端部とで囲まれた部分を指している。
なお、本実施の形態においては、前記袖壁２，２の両側端部に水平材７，８が設けられているものとしたが、これに限られるものではない。すなわち、前記コーナー結合材６，６…を、前記袖壁２，２の両側端面のうちの少なくとも一方の側端面に取り付けて、前記水平材７，８のうちのいずれか一方のみを設けるようにしてもよいものとする。
【００３４】
また、前記袖壁２，２の下端部と、前記開口部７ａの下端縁には半土台９が取り付けられている。この半土台９とは、基礎の厚さの約半分の大きさに形成された土台であり、基礎の上端面の外側に設置されるものである。また、基礎の上端面の内側半分には床パネルの端部が乗せられるようになっている。
なお、前記開口部７ａの下端縁の半土台９と、前記垂壁７との間に前記方立て１０が設けられている。
【００３５】
また、前記開口部７ａには、図２および図３に示すように、前記サッシ枠１１が嵌め込まれている。このサッシ枠１１は、前記垂壁７と、この垂壁７の両側端部に設けられた方立て１０と、垂壁７の中央部に設けられた方立て１０と、前記半土台９とに固定されている。このサッシ枠１１は、工場等で予め取り付けておくことが望ましい。
【００３６】
また、前記袖壁２，２と、前記垂壁７と、前記マグサ８との表面には、屋外に面する部分に外装材１２が取り付けられている。なお、この外装材１２は、工場等で予め取り付けておくことが望ましい。
【００３７】
そして、図２において左側に位置する袖壁２の他方の側端部には、前記水平材の架設方向と直交する方向に沿って、該袖壁２に連続する補助袖壁１３が設けられている。
【００３８】
次に、本実施の形態の袖壁付き壁ユニット１を、クレーン装置等の吊り上げ手段によって所定の設置位置まで吊り上げ搬送する方法について説明する。
【００３９】
まず、前記袖壁付き壁ユニット１は、工場等で予め組み立てておく。すなわち、装着できる部材を全て装着させたうえで現場に輸送した方が、現場での施工効率がよいためである。なお、前記サッシ枠１１には窓障子を取り付けないようにしておく。
また、前記袖壁付き壁ユニット１をトラック等で輸送する際は、図１０に示すように、前記袖壁２，２の下端部と前記開口部７ａの下端縁に設けられた半土台９に囲まれた位置に、これら半土台９で挟み込むようにして臥台４２を取り付けておき、輸送中における安定性の向上を図ることが好ましい。
【００４０】
続いて、前記袖壁付き壁ユニット１が現場に輸送されたら、前記臥台４２を取り外す。続いて、前記クレーン装置等の吊り上げ手段と、複数のワイヤー４１を有する吊り上げ装置４０とを接続する。すなわち、図示はしないが、クレーン装置のフック金具等を、前記吊り上げ装置４０の被引掛部に引っ掛けるなどして接続する。
なお、この吊り上げ装置４０は、少なくとも４本のワイヤー４１を有している。また、図示はしないが、これらワイヤー４１の先端には、後述する吊り金具２０の接続部２２に接続可能な接続部材が設けられているものとする。
【００４１】
続いて、前記袖壁付き壁ユニット１に予め取り付けられている羽子板金具３Ｂ，３Ｂ…のナット部５に、このナット部５に螺合する本体ボルト２１と、この本体ボルト２１の上端部に設けられるとともに前記複数のワイヤー４１が接続される接続部２２とを有する吊り金具２０を設けておく。
この吊り金具２０の接続部２２は、例えば図５に示すような、フック等の接続部材が引掛可能なリング状に形成されているが、これに限られるものではない。
なお、この吊り金具２０は、袖壁付き壁ユニット１を輸送トラックに積み込む前に取り付けておいてもよいものとする。
【００４２】
そして、前記複数のワイヤー４１と吊り金具２０とを接続した後、前記吊り上げ手段によって、前記吊り上げ装置４０および袖壁付壁ユニット１を吊り上げてから、所定の設置位置まで搬送する。
【００４３】
なお、例えば、前記袖壁付き壁ユニット１の上部に上階躯体を構築する際は、前記袖壁付き壁ユニット１を所定の設置位置まで安定的に搬送した後、前記ナット部５に螺合させた吊り金具２０を取り外してから、このナット部５に、前記袖壁付き壁ユニット１の上部に上部躯体を設置するためのボルト材等を取り付けて、該袖壁付き壁ユニット１の上部に上階躯体を設置するようにしてもよい。
【００４４】
次に、所定の設置位置に設置された袖壁付壁ユニット１の上部に上階躯体５０を設置して建物躯体を構築する方法について説明する。
ここで、上階躯体５０は、図１１に示すように、前記袖壁付壁ユニット１の袖壁２の上端面に載置される上階床５１と、この上階床５１の側端面に接合される前記袖壁付壁ユニット１の袖壁２の上端面に載置される胴差５２と、これら上階床５１の側端部および胴差５２の上面に載置される上階壁５４とを備えている。
【００４５】
まず、前記上階床５１の側端面と、前記胴差５２の側端面とに沿って、前記上階床５１の厚さ方向に延在するとともに前記ナット部５の位置に対応するガイド溝５３を形成しておく。
続いて、前記上階床５１の側端部および胴差５２を、前記ガイド溝５３とナット部５の螺合孔５ａとの位置を合わせるようにしながら前記袖壁２の上端面に載置して接合する。
【００４６】
続いて、前記上階床５１の厚さよりも長尺な胴差ボルト３０を、前記ガイド溝５３に沿わせながら、前記上階床５１の上方から前記袖壁２に向かってねじ込み、この胴差ボルト３０の下端部を前記ナット部５の螺合孔５ａに螺合させて、前記上階床５１の側端部および胴差５２を前記袖壁２に固定する。
【００４７】
ここで、前記上階壁５４は、前記胴差ボルト３０の上端部が挿通可能なボルト挿通孔５４ｂが形成された横芯材５４ａと、このボルト挿通孔５４ｂに挿通されて横芯材５４ａの上面から上方に突出する前記胴差ボルト３０の上端部にナット３２を螺合させて締結可能なスペースを形成する中空部５４ｄとを有している。
この中空部５４ｄは、前記上階壁５４の内部中空部であり、この上階壁５４を構成する面材５４ｃ，５４ｃ間のスペースを指している。
【００４８】
前記上階床５１の側端部および胴差５２を前記袖壁２に固定した後、このような上階壁５４を、前記横芯材５４ａのボルト挿通孔５４ｂに前記胴差ボルト３０の上端部を挿通させながら、前記上階床５１の側端部および胴差５２の上面に載置するとともに、前記胴差ボルト３０の上端部にナット３２を螺合させて締結して、前記上階壁５４を前記上階床５１の側端部および胴差５２に固定する。
なお、前記横芯材５４ａとナット３２との間には座金３１を介在させておくようにする。これによって、ナット３２を強く締め付けた際の横芯材５４ａへのめり込みを防ぐことができるとともに、ナット３２の緩みを防止できる。
【００４９】
本実施の形態によれば、前記羽子板金具３Ｂ，３Ｂ…が各袖壁２，２の両側端面にそれぞれ止着固定されており、この羽子板金具３Ｂ，３Ｂ…は、前記袖壁２，２の側端面の長さ方向に沿って長尺な板状部４と、この板状部４の上端部に一体形成されるとともに螺合孔５ａが上方に向かって開口し、前記袖壁２，２およびコーナー結合材６，６…の上端面よりも上方に突出するようにして設けられる吊り金具２０，胴差ボルト３０を螺合可能とするナット部５とを有しているので、このナット部５に、前記吊り金具２０，胴差ボルト３０を、前記袖壁２，２およびコーナー結合材６，６…の上端面よりも上方に突出するようにして固定することができる。これによって、前記吊り金具２０を確実に取り付けたり、前記胴差ボルト３０を確実に取り付けることができる。すなわち、このように前記吊り金具２０を取り付けできるので、前記袖壁付き壁ユニット１を４点吊りして安定的に吊り上げて搬送することができる。また、前記胴差ボルト３０を取り付けできるので、前記袖壁付き壁ユニット１の上部に上部躯体５０を確実かつ強固に設置できる。
【００５０】
また、前記ナット部５が高ナットであることから、この高ナットであるナット部５に、該ナット部５の螺合孔５ａに螺合するボルト部分を有する胴差ボルト３０を深くねじ込むことができるので、この胴差ボルト３０の前記ナット部５に対する取付強度を高めることができる。
これによって、所定の設置位置に設置された袖壁付壁ユニット１の上部に上階躯体５０を設置して建物躯体を構築する場合に、前記胴差ボルト３０を、下階躯体と上階躯体５０とを連結するために用いることができる。
【００５１】
また、前記袖壁２，２の側端面には、この袖壁２，２の側端面と前記板状部４の表面とが面一となるようにして該板状部４が嵌め合わされるとともに、前記ナット部５の一部が袖壁２，２の側端面よりも突出するようにして該ナット部５が嵌め合わされる第１嵌合凹部２ａが形成されているので、前記羽子板金具３Ｂ，３Ｂ…を、前記第１嵌合凹部２ａに収容しながら、前記各袖壁２，２の両側端面に取り付けることができる。
【００５２】
また、前記羽子板金具３Ｂ，３Ｂ…のナット部５に前記本体ボルト２１を有する吊り金具２０を設けるので、前記本体ボルト２１を前記螺合孔５ａに螺合させることによって、前記吊り金具２０を、前記各袖壁２，２の両側端面にそれぞれ止着固定された羽子板金具３Ｂ，３Ｂ…に確実かつ強固に取り付けることができる。すなわち、前記吊り金具２０を前記各袖壁２，２の両側端部の計４ヶ所に取り付けることができる。これによって、前記袖壁付き壁ユニット１を、前記複数のワイヤー４１と吊り金具２０とを接続した後、前記吊り上げ手段によって、前記吊り上げ装置４０および袖壁付壁ユニット１を吊り上げてから、所定の設置位置まで安定的に搬送することができる。
また、このように前記袖壁付き壁ユニット１を、所定の設置位置まで安定的に搬送した後、前記ナット部５に螺合させた吊り金具２０を取り外してから、前記ナット部５に、前記袖壁付き壁ユニット１の上部に上部躯体を設置するための胴差ボルト３０を取り付けて、該袖壁付き壁ユニット１の上部に上階躯体を設置することによって、前記羽子板金具３Ｂ，３Ｂ…を、前記吊り金具２０を取り付けるだけの用途に限らずに、建物躯体を構築するのに利用することもできるので、利便性が高い。
【００５３】
また、前記上階床５１の側端面と前記胴差５２の側端面とにガイド溝５３を形成しておき、このガイド溝５３と前記ナット部５の螺合孔５ａとの位置を合わせるようにしながら、前記上階床５１の側端部および胴差５２を前記袖壁２の上端面に載置して接合し、前記胴差ボルト３０を、前記ガイド溝５３に沿わせながら、前記上階床５１の上方から前記袖壁２に向かってねじ込み、この胴差ボルト３０の下端部を前記ナット部５の螺合孔５ａに螺合させることによって、前記上階床５１の側端部および胴差５２を前記袖壁２に固定するので、前記上階床５１および胴差５２を、前記袖壁２の上部に正確に設置することができる。
その後、前記横芯材５４ａと中空部５４ｄとを有する上階壁５４を、前記横芯材５４ａのボルト挿通孔５４ｂに前記胴差ボルト３０の上端部を挿通させながら、前記上階床５１の側端部および胴差５２の上面に載置するとともに、前記胴差ボルト３０の上端部にナット３２を螺合させて締結することによって、前記上階壁５４を前記上階床５１の側端部および胴差５２に固定するので、前記袖壁付き壁ユニット１の上部に上部躯体５０を確実かつ強固に設置できる。
また、このように前記袖壁付き壁ユニット１の上部に上部躯体５０を設置する前に、前記袖壁付き壁ユニット１を所定の設置位置まで搬送する際は、前記ナット部５に前記胴差ボルト３０を取り付ける前に、クレーン装置等の吊り上げ手段によって吊り上げるための吊り金具２０を取り付けておき、これを搬送時に利用しているので、前記羽子板金具３Ｂ，３Ｂ…を、前記胴差ボルト３０を取り付けるだけの用途に限らず、袖壁付き壁ユニット１の搬送時にも利用することができ、利便性が高い。
【符号の説明】
【００５４】
１  袖壁付き壁ユニット
２  袖壁
３  羽子板金具
４  板状部
５  ナット部
５ａ  螺合孔
６  コーナー結合材
７  水平材（マグサ）
８  水平材（下がり壁）
２０  ボルト材（吊り金具）
３０  ボルト材（胴差ボルト）
【図１】
2010248815.tif 000003
【図２】
2010248815.tif 000004
【図３】
2010248815.tif 000005
【図４】
2010248815.tif 000006
【図５】
2010248815.tif 000007
【図６】
2010248815.tif 000008
【図７】
2010248815.tif 000009
【図８】
2010248815.tif 000010
【図９】
2010248815.tif 000011
【図１０】
2010248815.tif 000012
【図１１】
2010248815.tif 000013